【事件の表示】
　平成５年特許願第３１３０６３号「記録媒体の記録及び／又は再生装置」拒絶査定不服審判事件〔平成７年５月２日出願公開、特開平７−１１４７８９〕について、次のとおり審決する。
【結　論】
　本件審判の請求は、成り立たない。
【理　由】
１　手続きの経緯・本願発明
　本願は，平成５年１２月１４日（優先権主張　平成５年８月２６日）の出願であって，その請求項１乃至５に係る発明は，平成１２年１２月１４日付け，平成１５年３月１０日，及び平成１５年１２月１１日付けの各手続補正書によって補正された特許請求の範囲の請求項１乃至５に記載されたとおりのものである。そのうち，請求項１に係る発明（以下，「本願発明」という。）は次のとおりである。
　
「ベース部材と，
　記録及び／又は再生部が取付けられたシャーシ部と，
　上記ベース部材と上記シャーシ部との間に設けられるダンパ部材と，
　上記シャーシ部に回動可能に取付けられた記録媒体ホルダと，
　上記ベース部材に回動自在に取付けられて，上記記録及び／又は再生部を覆う蓋部と，
　先端部に振動吸収体を有し，基端部が上記蓋部の上記記録媒体ホルダと対向する面に取り付けられ，上記振動吸収体を介して上記記録媒体ホルダを上記ベース部材側に付勢する弾性部材とを備え，
　上記記録媒体ホルダが載置された上記シャーシ部が上記シャーシ部の自重と上記記録媒体ホルダの自重と上記ダンパ部材の弾性力と上記弾性部材の付勢力とが均衡する位置に保持されることを特徴とする記録媒体の記録及び／又は再生装置。」
　
２　引用例
（２−１）
　これに対して，原査定の拒絶の理由に引用された，特開平５−５４５０８号公報（平成５年３月５日公開。以下，「引用例１」という。）には，ディスクカートリッジの位置決め装置について，図面とともに次の事項が記載されている。なお，下線は当審で付した。
　
（ａ）
「【００１４】符号Ａで示す
ディスクプレーヤ
カートリッジ本体内に収納された光ディスク
　
（ｂ）
「【００１６】また，この機器本体３の
ディスク回転駆動装置１および光学ピックアップ装置２は，金属板を打ち抜いて形成してなるシャーシ基板７に取り付けられており，このシャーシ基板７を介してキャビネット４内に配設され
　
（ｃ）
「【００２０】このようにディスク回転駆動装置１および光学ピックアップ装置２はシャーシ基板７に取り付けられるが，この
シャーシ基板７は各コーナ部近傍の一部を垂下するようにＬ字状に折曲形成された取付片１４を，キャビネット４内のコーナ部近傍に突設された取付支持片１５にねじ１６によって固定してキャビネット４内に取り付けられる。
緩衝体１７は，
弾性力を得るように構成されている。
緩衝体１７は，中央部外周囲に形成された嵌合溝部１７ａを取付片１４に形成された切欠き１４ａに嵌合させて支持されており，シャーシ基板７をキャビネット４に取り付けた時に取付片１４と取付支持片１５間に介装される。
　
（ｄ）
「【００３０】そして，
カートリッジホルダ２５は，後端部両側の回動支持片３２，３２がシャーシ基板７上のホルダ取付片３１，３１に枢支軸３３，３３を介して枢支されている
　
（ｅ）
「【００５５】符号１１０で示すパネルとしての第１蓋体は，前述したカートリッジホルダ２５および通孔１１１ａ付きの
キーボード蓋１１１
　
（ｆ）
「【００６１】このように操作部が配設された
キーボード蓋１１１は，キャビネット４の後端両側に立ち上がり形成してなる蓋取付部１１７，１１８の相対向する内側面に設けられた支持板１１９，１１９に回動支持板１２１，１２１を支軸１２３，１２３の回りに枢支させて機器本体３に対して回動可能に取り付けられて
　
（ｇ）
「【００６３】また，キーボード蓋１１１には，カートリッジホルダ２５が次に示すようにして連結されている。すなわち，キーボード蓋１１１に対するカートリッジホルダ２５の連結は，
カートリッジホルダ２５の主面部２８の両側に突設してなる被係合片１２８，１２８を，キーボード蓋１１１の相対向する内側面に突設してなる係合片１３０，１３０に係合する
【００６４】そして，第１蓋体１１０は，閉蓋時には
被係合片１２８，１２８および係合片１３０，１３０が互いに係合することによりキーボード蓋１１１にカートリッジホルダ２５が追随して回動する
【００６５】したがって，第１蓋体１１０を機器本体３のディスク装着部６を閉塞する方向に回動操作すると，カートリッジホルダ２５もディスク装着部６を閉塞する方向に回動する。そして，カートリッジホルダ２５がディスク装着部６を閉塞する下降位置まで回動すると，開放したディスクテーブル挿入用開口部２０６からディスクテーブル８がカートリッジ本体２０２内に進入し，カートリッジ本体２０２内の光ディスク２０１がディスクテーブル８上に載置される。このとき，光ディスク２０１は，センタリング部材１１に中心孔を係合させディスクテーブル８に対する芯出しが図れる。また，ディスクカートリッジ２００は，ディスク装着部６において位置決め案内ピン２０および高さ位置決めピン２１によって水平方向および高さ方向に位置決めされる。」
　
（ｈ）
「【００７７】すなわち，ディスクカートリッジ２００あるいは光ディスク単体２２０をディスク装着部６に装着した状態にあっては，第１蓋体１１０がディスク装着部６を覆って機器本体３に対して閉蓋された状態にあるため，第１蓋体１１０の上面側にキーボード１１３が外部に露呈した状態にある。このとき，第２蓋体１３２を回動操作してその角度を適宜設定する。」
　
（ｉ）
　図３乃至５には，シャーシ基板７とカートリッジホルダ２５の構成と，機器本体３（キャビネット４と底板５）と第１蓋体１１０とキーボード蓋１１１が図示され，図４には，第１蓋体１１０とキーボード蓋１１１が図示されている。
　
　上記記載及び図面を参照すると，引用例１には，次の発明（以下，「引用例１発明」という。）が記載されている。
「ディスク回転駆動装置と光学ピックアップ装置が取り付けられたシャーシ基板と，
　上記シャーシ基板のホルダ取付片に枢支軸を介して枢支されているカートリッジホルダと，
　キャビネットの後端両側に立ち上がり形成してなる蓋取付部の相対向する内側面に設けられた支持板に回動支持板を支軸の回りに枢支させて回動可能に取り付けられたキーボード蓋と，
　上記シャーシ基板と上記キャビネットの間に介装された緩衝体とを備え，
　上記キーボード蓋と上記カートリッジホルダが互いに係合して追随回動するディスクプレーヤ。」
　
（２−２）
　同じく原査定の拒絶の理由に引用された，実願昭６０−３０９５８号（実開昭６１−１４９１６１号）のマイクロフィルム（以下，「引用例２」という。）には，ディスク記録再生装置について，図面とともに次の事項が記載されている。
　
（ｊ）
「磁気ディスクジャケットを交換可能に支持するジャケットホルダー５は，軸５ａに回転可能に支持されている。また，ジャケットホルダー５と，装置を覆うカバー蓋６とは，第１図に示すような動作位置（閉位置）と，第２図に示す退避位置（開位置）との間を，図示していない支持機構によって，移動可能に装置本体に連結支持されている。」（明細書５頁７行〜１４行）
　
（ｋ）
「カバー蓋６を開いた状態では，
ジャケットホールダー５は，カバー蓋６に取付ピン２６で取付られた板ばね２５により付勢され
　
（ｌ）
「ジャケットホールダー５に磁気ディスクジャケット４を挿入してカバー蓋６を閉じて動作位置（閉位置）とした場合には，カバー蓋６は図示していないカバー蓋ロック機構によって装置本体に係止され，ジャケットホールダー５も板ばね２５の付勢力によって，カバー基板７に固定された突起ピン７ａに当接し保持される。」（明細書１１頁６行〜１１行）　
　
３　対比
　次に，本願発明と引用例１発明とを対比する。
　引用例１発明のカートリッジ本体内に収納された「光ディスク」は，本願発明の「記録媒体」に相当し，引用例１発明の「カートリッジホルダ」は，本願発明の「記録媒体ホルダ」に相当する。
　引用例１発明の「ディスク回転駆動装置と光学ピックアップ装置」は，光ディスクに記録形成された情報信号を読み出し再生する点において，本願発明の「再生部」に相当する。
　引用例１発明の「シャーシ基板」は，光ディスクに記録形成された情報信号を読み出し再生するためのディスク回転駆動装置と光学ピックアップ装置が取り付けられた点において，本願発明の再生部の取付けられた「シャーシ部」に相当する。
　引用例１発明の「緩衝体」（上記「２−１　【００２０】」参照）は，弾性力を得るように構成され，「キャビネット」と「シャーシ基板」の間に介装されており，本願発明の「ベース部材」と「シャーシ部」との間に設けられ，弾性力を備える「ダンパ部材」に相当し，引用例１発明の「キャビネット」は，本願発明の「ベース部材」に相当する。
　引用例１発明の「カートリッジホルダ」が，シャーシ基板のホルダ取付片に枢支軸を介して枢支されている点は，本願発明の「記録媒体ホルダ」が，シャーシ部に回動可能に取付けられた構成に相当する。
　引用例１発明の，キャビネットの後端両側に立ち上がり形成してなる蓋取付部の相対向する内側面に設けられた支持板に回動支持板を支軸の回りに枢支させて回動可能に取り付けられた「キーボード蓋」は，キャビネットに回動自在に取り付けられて，カートリッジホルダと追随回動し閉蓋して，ディスク回転駆動装置と光学ピックアップ装置を覆うように構成されている（上記「２−１　【００６５】【００７７】」参照）点で，本願発明のベース部材に回動自在に取り付けられて，再生部を覆う「蓋部」に相当する。
　引用例１発明の「ディスクプレーヤ」は，カートリッジホルダが取り付けられたシャーシ基板が「緩衝体」によりキャビネットに保持されている点で，本願発明の「記録媒体ホルダが載置されたシャーシ部」が，「ダンパ部材の弾性力」に保持される「記録媒体」の「再生装置」に相当する。
　
　したがって，両者の一致点及び相違点は，次のとおりである。
＜一致点＞
「ベース部材と，
　再生部が取付けられたシャーシ部と，
　上記ベース部材と上記シャーシ部との間に設けられるダンパ部材と，
　上記シャーシ部に回動可能に取付けられた記録媒体ホルダと，
　上記ベース部材に回動自在に取付けられて，上記再生部を覆う蓋部とを備え，
　上記記録媒体ホルダが載置された上記シャーシ部が上記ダンパ部材の弾性力に保持されることを特徴とする記録媒体の再生装置。」　
　
＜相違点＞
　本願発明は，「先端部に振動吸収体を有し，基端部が蓋部の記録媒体ホルダと対向する面に取り付けられ，振動吸収体を介して記録媒体ホルダをベース部材側に付勢する弾性部材」を備え，記録媒体ホルダが載置されたシャーシ部がダンパ部材の弾性力に保持される点については，「シャーシ部の自重と記録媒体ホルダの自重とダンパ部材の弾性力と弾性部材の付勢力とが均衡する位置に保持される」と特定しているのに対して，引用例１発明はこのような点について特定していない点。
　
４　当審の判断
　上記相違点について検討する。
　引用例２には，ジャケットホールダーとカバー蓋が連結支持され，カバー蓋に取付ピンで取付けられたジャケットホールダーを付勢する板ばねがジャケットホールダーを付勢しているディスク記録再生装置が記載されている。また，振動吸収体を設けて，振動を吸収する板ばねの構造は周知（例えば，特開昭６０−４５９８６号公報〔ジンバル板バネ〕，特開平２−２９３１３３号公報〔板バネ〕，特開平４−１７１３２６号公報〔制震板ばね〕等）である。
　してみれば，引用例１発明の，キーボード蓋とカートリッジホルダが追随して回動するディスクプレーヤにおいて，衝撃等の外乱が加えられた時にこの外乱がシャーシ基板に伝達され光学ピックアップ装置の送り操作およびディスク回転駆動装置による光ディスクの回転を阻害しないように，キーボード蓋とカートリッジホルダの間に，振動吸収体を介してカートリッジホルダをシャーシ基板側に付勢し，少なくとも遊端部の先端に振動吸収体を有する弾性部材を設けることは，引用例２に記載されたディスク記録再生装置の板ばねの構成から，周知事項も参酌することにより当業者が容易になし得たことである。
　このような構造を採ることにより，上記記録媒体ホルダが載置された上記シャーシ部が上記シャーシ部の自重と上記記録媒体ホルダの自重と上記ダンパ部材の弾性力と上記弾性部材の付勢力とが均衡する位置に保持されるようにすることも，簡単な力学的考察から当業者が容易に想到しうるものにすぎず，格別な技術事項を含むものでない。なお，ディスクプレーヤが，外部からの振動や衝撃で外周の筐体に衝突したり，ピックアップの制御が利かなくなることを防止するため，ダンパ部材やスプリングで，筐体の中間にディスクプレーヤを配置した構成は，周知（実願昭６２−１１４６９４号（実開昭６４−２３７８７号）のマイクロフィルム〔上下左右がスプリングやダンパーを介して筐体に支持されたコンパクトディスクプレーヤ〕参照）の事項にすぎない。
　結局，上記相違点は，格別なものではなく，また，上記相違点を総合的に検討しても奏される効果は当業者が予測しうる範囲内のものである。
　
５　むすび
　以上のとおり，本願の請求項１に係る発明は，引用例１，２に記載された発明に基づき，周知技術を考慮することにより，当業者が容易に発明をすることができたものであるから，特許法第２９条第２項の規定により特許を受けることができない。
　したがって，他の請求項について検討するまでもなく，本願は，拒絶すべきものである。
　よって，結論のとおり審決する。